(57)【特許請求の範囲】
【請求項１】
光コネクタアダプタに対する光プラグの非嵌合時には略密閉型のシャッタで光プラグのフェルール先端に接触しないように常時遮断され、光コネクタアダプタに対する光プラグの嵌合時にはシャッタを自動開放させられるようにしたシャッタ付き光コネクタプラグにおいて、
光プラグのツマミの上側を覆いつつ当該ツマミに固定された後部のストッパガイドと、
前記ストッパガイドの内側に一端が掛止されたスプリングと、
前記ストッパガイドの上面を摺動自在に移動でき且つ内側には前記スプリングの略中間部分が通せられるようになっている中間のスプリングガイドと、
前記スプリングガイドの上面を摺動自在に移動でき且つ内側には前記スプリングの他端が掛止されてツマミの前部外周を前後移動自在に覆うアウターカバーとを備え、
前記アウターカバーは前記プラグの挿入に伴い光コネクタアダプタに押されて前記スプリングを圧縮しながら後部のストッパガイド位置までツマミ外周を後退移動可能とすると共に、
前記アウターカバー内側には、閉蓋位置から開蓋位置へ揺動可能となるシャッタが設けられ、アウターカバーが前後移動されるのに連動して、前記シャッタをラックアンドピニオン方式によるシャッタ自動開閉機構によって自動開閉可能としたもので、
前記シャッタ自動開閉機構は、前記アウターカバー内側において、当該アウターカバーに形成されたガイド孔に係合してスライド可能となるガイド突起およびフックアームを一体に備え且つ前記ツマミに設けられたストッパ部に係止される係止部が前記フックアームの後方に設けられたラックアームと、前記アウターカバーの内側に軸支されたシャッタの開閉軸部に同軸一体となったピニオンとを備え、該ラックアームの歯部に前記ピニオンが噛合して成り、
前記光プラグを前方へ押し込むことでアウターカバーの開口前端が光コネクタアダプタの挿入開口部に当たって前記ツマミに対して前記アウターカバーが後退移動し、この際、前記アウターカバーのガイド孔の後方縁部にあった前記ラックアームのガイド突起が当該ガイド孔の前方縁部に移行すると共に、当該ラックアームと一体の前記フックアームの後方に設けられた係止部が前記ツマミに設けられたストッパ部に係止されていることでラックアーム自体の後退移動が阻止され、これによって前記ラックアームと噛合する前記ピニオンが回転することで前記シャッタを開放させ、
さらに前記光プラグを押し込むことで前記ツマミに対して前記アウターカバーが後退移動し、前記フックアームに設けられた係止部が前記ツマミに設けられたストッパ部を前方から後方へ乗り上げつつ、前記ラックアームのガイド突起が前記アウターカバーのガイド孔の前方縁部に押されることにより、前記アウターカバーと同期して前記ラックアームもツマミに沿って後退移動し、これによって前記アウターカバーが前記スプリングを圧縮させながらツマミの後側位置まで移動して当該アウトカバーから前方に光プラグ前方が突出することで、該光プラグのフェルールが前記光コネクタアダプタのスリーブホルダに挿入されるものとしたことを特徴とするシャッタ付き光コネクタプラグ。
【発明の詳細な説明】
【技術分野】
【０００１】
本発明は、光コネクタアダプタに対し、非嵌合時にはシャッタで遮断され、嵌合時にはシャッタを自動開放されるようにしたシャッタ付き光コネクタプラグに関する。
【背景技術】
【０００２】
従来から、この種の自動開閉可能なシャッタを備えた光コネクタプラグとしては、例えば特許文献１に開示されているように、遮蔽板と、該遮蔽板を自動開閉させる駆動機構とを備えた光コネクタプラグが存在する。すなわち、アダプタへのプラグの挿入に伴い、アダプタ開口部に対する駆動機構の可動子の当接または干渉によって、可動子が押しバネの弾発力に抗して、摺動スリーブに対し相対的に後方に押され、可動子と一体的に設けられている遮蔽片が、可動子の後退移動に伴って弾性変形して平坦な形状となり、この弾性変形の過程において、遮蔽片の遮蔽部は旋回してフェルールの前端面の前方から完全に外れて閉状態から開状態に遷移させられるものとなっている。
【０００３】
また、特許文献２に開示されているように、上下対向して配置された一対のシャッタと、該シャッタを自動開閉させるスイッチ機構を備えたシャッター付き光コネクタプラグが存在する。すなわち、このシャッター付き光コネクタプラグをレセプタクルコネクタに嵌合させると、スイッチ機構のスイッチがトーションバネの付勢力に抗して左右方向の解除位置方向に移動し、スイッチの後方への移動が解除され、シャッター付き光コネクタプラグを更に嵌合させるべくレセプタクルコネクタに向かって挿入させると、スイッチが後退用溝部に沿って後方移動し、同時に、フロントハウジングも後方に移動することで、上下一対のシャッターが各後方に引っ張られると共にその内側の面がプラグフレームの先端部に衝突して拡開され、シャッターの遮光作用が解除されて、フェルールがレセプタクルコネクタ側のフェルールと接合されるものとなっている。
【先行技術文献】
【特許文献】
【０００４】
【特許文献１】特開２００６−２７６７８２号公報
【特許文献２】特開２００９−１３９８０４号公報
【発明の概要】
【発明が解決しようとする課題】
【０００５】
しかしながら、従来における特許文献１に開示されている構成による場合、アダプタへのプラグの挿入に伴い、遮蔽部がフェルールに直接触れているため、当該遮蔽部の移動によってフェルール先端部分が損傷してしまう虞がある。
【０００６】
また、特許文献２に開示されている構成による場合、シャッタは上下対向して配置されて一対となっていることから、それぞれのシャッタに対応してトーションバネを設けなければならず全体の構成が非常に複雑なものとなる。
【０００７】
そこで、本発明は、叙上のような従来存した諸事情に鑑み案出されたもので、光コネクタアダプタに対し、非嵌合時にはシャッタで遮断され、嵌合時にはシャッタを自動開放される光プラグにおいて、フェルール先端に損傷を与えることなくシャッタの自動開閉動作が確実に行えると同時に、開閉動作するシャッタへの負荷を軽減させることができ、しかも簡易構成のシャッタ付き光コネクタプラグを提供することを目的とする。
【課題を解決するための手段】
【０００８】
上述した課題を解決するために、本発明にあっては、光コネクタアダプタに対する光プラグの非嵌合時には略密閉型のシャッタで光プラグのフェルール先端に接触しないように常時遮断され、光コネクタアダプタに対する光プラグの嵌合時にはシャッタを自動開放させられるようにしたシャッタ付き光コネクタプラグにおいて、
光プラグのツマミの上側を覆いつつ当該ツマミに固定された後部のストッパガイドと、
前記ストッパガイドの内側に一端が掛止されたスプリングと、
前記ストッパガイドの上面を摺動自在に移動でき且つ内側には前記スプリングの略中間部分が通せられるようになっている中間のスプリングガイドと、
前記スプリングガイドの上面を摺動自在に移動でき且つ内側には前記スプリングの他端が掛止されてツマミの前部外周を前後移動自在に覆うアウターカバーとを備え、
前記アウターカバーは前記プラグの挿入に伴い光コネクタアダプタに押されて前記スプリングを圧縮しながら後部のストッパガイド位置までツマミ外周を後退移動可能とすると共に、
前記アウターカバー内側には、閉蓋位置から開蓋位置へ揺動可能となるシャッタが設けられ、アウターカバーが前後移動されるのに連動して、前記シャッタをラックアンドピニオン方式によるシャッタ自動開閉機構によって自動開閉可能としたもので、
前記シャッタ自動開閉機構は、前記アウターカバー内側において、当該アウターカバーに形成されたガイド孔に係合してスライド可能となるガイド突起およびフックアームを一体に備え且つ前記ツマミに設けられたストッパ部に係止される係止部が前記フックアームの後方に設けられたラックアームと、前記アウターカバーの内側に軸支されたシャッタの開閉軸部に同軸一体となったピニオンとを備え、該ラックアームの歯部に前記ピニオンが噛合して成り、
前記光プラグを前方へ押し込むことでアウターカバーの開口前端が光コネクタアダプタの挿入開口部に当たって前記ツマミに対して前記アウターカバーが後退移動し、この際、前記アウターカバーのガイド孔の後方縁部にあった前記ラックアームのガイド突起が当該ガイド孔の前方縁部に移行すると共に、当該ラックアームと一体の前記フックアームの後方に設けられた係止部が前記ツマミに設けられたストッパ部に係止されていることでラックアーム自体の後退移動が阻止され、これによって前記ラックアームと噛合する前記ピニオンが回転することで前記シャッタを開放させ、
さらに前記光プラグを押し込むことで前記ツマミに対して前記アウターカバーが後退移動し、前記フックアームに設けられた係止部が前記ツマミに設けられたストッパ部を前方から後方へ乗り上げつつ、前記ラックアームのガイド突起が前記アウターカバーのガイド孔の前方縁部に押されることにより、前記アウターカバーと同期して前記ラックアームもツマミに沿って後退移動し、これによって前記アウターカバーが前記スプリングを圧縮させながらツマミの後側位置まで移動して当該アウトカバーから前方に光プラグ前方が突出することで、該光プラグのフェルールが前記光コネクタアダプタのスリーブホルダに挿入されるものとしたことを特徴とする。
【発明の効果】
【０００９】
本発明によれば、光コネクタアダプタに対し、非嵌合時には略密閉型のシャッタで遮断され、嵌合時にはシャッタを自動開放される光プラグにおいて、フェルール先端に損傷を与えることなくシャッタの自動開閉動作が確実に行えると同時に、開閉動作するシャッタへの負荷を軽減させることができ、しかも全体の構成を簡易なものとすることができる。
【００１０】
すなわち、光プラグのツマミの上側を覆いつつ当該ツマミに固定された後部のストッパガイドと、
前記ストッパガイドの内側に一端が掛止されたスプリングと、
前記ストッパガイドの上面を摺動自在に移動でき且つ内側には前記スプリングの略中間部分が通せられるようになっている中間のスプリングガイドと、
前記スプリングガイドの上面を摺動自在に移動でき且つ内側には前記スプリングの他端が掛止されてツマミの前部外周を前後移動自在に覆うアウターカバーとを備え、
前記アウターカバーは前記プラグの挿入に伴い光コネクタアダプタに押されて前記スプリングを圧縮しながら後部のストッパガイド位置までツマミ外周を後退移動可能とすると共に、
前記アウターカバー内側には、閉蓋位置から開蓋位置へ揺動可能となるシャッタが設けられ、アウターカバーが前後移動されるのに連動して、前記シャッタをラックアンドピニオン方式によるシャッタ自動開閉機構によって自動開閉可能としたもので、フェルール先端に損傷を与えることなくシャッタの自動開閉動作が容易かつ確実に行える。
【００１１】
また、前記シャッタ自動開閉機構は、前記アウターカバー内側において、当該アウターカバーに形成されたガイド孔に係合してスライド可能となるガイド突起およびフックアームを一体に備え且つ前記ツマミに設けられたストッパ部に係止される係止部が前記フックアームの後方に設けられたラックアームと、前記アウターカバーの内側に軸支されたシャッタの開閉軸部に同軸一体となったピニオンとを備え、該ラックアームの歯部に前記ピニオンが噛合して成り、
前記光プラグを前方へ押し込むことでアウターカバーの開口前端が光コネクタアダプタの挿入開口部に当たって前記ツマミに対して前記アウターカバーが後退移動し、この際、前記アウターカバーのガイド孔の後方縁部にあった前記ラックアームのガイド突起が当該ガイド孔の前方縁部に移行すると共に、当該ラックアームと一体の前記フックアームの後方に設けられた係止部が前記ツマミに設けられたストッパ部に係止されていることでラックアーム自体の後退移動が阻止され、これによって前記ラックアームと噛合する前記ピニオンが回転することで前記シャッタを開放させ、
さらに前記光プラグを押し込むことで前記ツマミに対して前記アウターカバーが後退移動し、前記フックアームに設けられた係止部が前記ツマミに設けられたストッパ部を前方から後方へ乗り上げつつ、前記ラックアームのガイド突起が前記アウターカバーのガイド孔の前方縁部に押されることにより、前記アウターカバーと同期して前記ラックアームもツマミに沿って後退移動し、これによって前記アウターカバーが前記スプリングを圧縮させながらツマミの後側位置まで移動して当該アウトカバーから前方に光プラグ前方が突出することで、該光プラグのフェルールが前記光コネクタアダプタのスリーブホルダに挿入されるものとしたので、開閉動作するシャッタへの負荷をこのラックアンドピニオン方式によるシャッタ自動開閉機構を採用することによって軽減させることができる。
【図面の簡単な説明】
【００１２】
【図１】本発明を実施するための一形態におけるシャッタ付き光コネクタプラグの構成の一例を示し、（ａ）は断面図、（ｂ）は一部切欠側面図である。
【図２】同じく閉蓋位置にあるシャッタにプラグフレームが突き当たっている状態の断面図である。
【図３】同じくシャッタ付き光コネクタプラグの外観形状の一例を示し、（ａ）は平面図、（ｂ）はアウターカバーを後退させた状態の平面図、（ｃ）は側面図、（ｄ）はアウターカバーを後退させた状態の側面図、（ｅ）はシャッタが閉じた状態の正面図、（ｆ）はシャッタが開いた状態の正面図である。
【図４】同じくシャッタ付き光コネクタプラグを光コネクタアダプタに接続する場合を示し、（ａ）は接続前の状態の平面図、（ｂ）は接続後の状態の側面図、（ｃ）は接続後の状態の一部切欠平面図である。
【図５】図中（ａ）乃至（ｅ）は光コネクタアダプタに挿入するときのシャッタ付き光コネクタプラグのシャッタ動作を示す説明図である。
【図６】同じく（ａ）乃至（ｃ）はアウターカバーとラックアームの動作を示す説明図である。
【図７．１】図中（ａ）乃至（ｄ）は光コネクタアダプタから抜き出されたときのシャッタ付き光コネクタプラグのシャッタ動作を示す説明図である。
【図７．２】同じく図中（ｅ）乃至（ｆ）は光コネクタアダプタから抜き出されたときのシャッタ付き光コネクタプラグのシャッタ動作を示す説明図である。
【発明を実施するための形態】
【００１３】
以下、図面を参照して本発明の実施の一形態を詳細に説明する。
本発明において、図において示される符号Ｐは光プラグであり、該光プラグＰは図１（ａ）、図２に示したように、筒形のプラグフレーム１と、該プラグフレーム１の後部内に、係合突起及び係合孔とからなる係合手段によって前部を嵌合固定した円筒形のストップリング２と、該ストップリング２の後部外周面との間にケブラ３をカシメ固定するカシメリング４と、上記ストップリング２及びカシメリング４内に挿通した光ファイバ５と、該光ファイバ５を軸心に貫通固定し、上記ストップリング２との間に圧縮バネ６を介在して上記プラグフレーム１の軸心に配設したフェルール７と、上記カシメリング４の後部外周面との間にコード外被８を固定するリング９と、上記カシメリング４及びリング９並びに光ファイバコード１０を被覆するブーツ１１と、前記プラグフレーム１、ストップリング２それぞれを覆うツマミ１２とで構成されている。
【００１４】
図１（ｂ）、図５（ａ）乃至図５（ｅ）、図７．１（ａ）乃至図７．２（ｆ）に示したように、光プラグＰのツマミ１２外周には、光コネクタアダプタＱに対する非嵌合時には略密閉型のシャッタ２１で常時遮断され、光コネクタアダプタＱに対する嵌合時にはシャッタ２１を自動開放させられるようにしたラックアンドピニオン方式によるシャッタ自動開閉機構Ｓが取り付けられている。
【００１５】
すなわち、このシャッタ自動開閉機構Ｓは、図１（ａ）、図２に示すように、ツマミ１２の上側を覆うように後部のストッパガイド２２及び中間のスプリングガイド２３と、ツマミ１２の前部を角形状に覆うアウターカバー２４とが互いに伸縮可能となるように取り付けられることで光プラグＰに装着されている。
【００１６】
先ず、図１（ｂ）に示すように、ストッパガイド２２は、後部寄り下側に垂下させた係合突起２５を、ツマミ１２とブーツ１１との間の隙間２６に係合させて固定している。そして、ストッパガイド２２の内側には前方に向けて突起２７を形成し、該突起２７にスプリング２８の一端が掛止されている。スプリングガイド２３は、ストッパガイド２２の上面を摺動自在に移動でき、内側には前記スプリング２８の略中間部分が通せるようになっている。
【００１７】
アウターカバー２４は、図１（ａ）、図２、図３（ａ）乃至図３（ｆ）、図４（ａ）、図４（ｂ）、図４（ｃ）に示すように、光コネクタアダプタＱのハウジングＨ外周と略同形の略角筒状に形成されており、その上側から後部側へ向けて突出した延長部分２４ａがスプリングガイド２３の上面を摺動自在に移動できるようになっている。
【００１８】
そして、この延長部分２４ａの内側には後方に向けて突起２９を形成し、該突起２９に前記スプリング２８の他端が掛止されている。アウターカバー２４の筒内部には光プラグＰのツマミ１２が挿入され、アウターカバー２４上側内面の略中央に突設したガイド突起３０が、ツマミ１２の上面長手方向に沿って形成されたガイド長溝３１に係合している（図１（ｂ）参照）。
【００１９】
これによって、アウターカバー２４に対しプラグＰ（ツマミ１２）が前方に移動するとスプリング２８が圧縮されながらアウターカバー２４がガイド長溝３１に沿ってストッパガイド２２側（ツマミ１２の後部側）へ向けて相対摺動する。
【００２０】
さらに、図１（ａ）、図２、図５（ｅ）、図７．１（ａ）に示すように、ストッパガイド２２の上面後端部には、係止部３２が上方に向けて突設され、これに対向してスプリングガイド２３の後端中央に凹部３３が形成されている。これにより、アウターカバー２４およびスプリングガイド２３のストッパガイド２２後方側への摺動離脱を係止部３２と凹部３３との嵌合によってストップさせられるようにしてある。
【００２１】
図１（ａ）、図１（ｂ）、図２、図５（ａ）、図５（ｃ）、図５（ｄ）、図５（ｅ）、図７．１（ａ）、図７．１（ｃ）、図７．２（ｅ）に示すように、アウターカバー２４の前側開口部内側には、略断面円弧形マスク状（略１／４の球殻）となったシャッタ２１が開閉軸部によって開閉自在（シャッタ２１面が前向位置と上向位置との間を揺動可能）となって設けられている。
【００２２】
すなわち、図１（ｂ）、図５（ａ）、図５（ｃ）、図５（ｄ）、図５（ｅ）、図７．１（ａ）、図７．１（ｃ）、図７．２（ｅ）に示すように、シャッタ２１の左右両端にはピニオン３４と同軸一体となった（あるいは両端がピニオン形状となった）開閉軸部３５が設けられ、該開閉軸部３５をアウターカバー２４の左右側壁内面に設けた軸受（図示せず）に回動自在に枢着させてある。
【００２３】
そして、アウターカバー２４の開口部上面は、シャッタ２１が上向位置に揺動した際の退避スペースが得られるよう上方に向けて円弧型フード状に形成されている。
【００２４】
また、アウターカバー２４の底部には底カバー４５が設けられ、該底カバー４５上の前面開口側には、閉動されたシャッタ２１の下端部分を支持するための凹部３６が形成されている。そして、この底カバー４５と、前記したツマミ１２とブーツ１１との間の隙間２６に係合しているストッパガイド２２の係合突起２５とにより、既存の光プラグＰに対しシャッタ自動開閉機構Ｓを容易に装着させることができるようになっている。
【００２５】
図１（ａ）、図２に示すように、シャッタ２１の上縁部内側には断面略台形状の凸部３７を設けてあり、光コネクタアダプタＱに対するプラグＰの挿入前において、故意にブーツ１１を持って前方に押した場合でもシャッタ２１にある凸部３７にプラグフレーム１が当たって係止されることで、シャッタ２１自体はフェルール７先端に接触しないようになっている。
【００２６】
シャッタ自動開閉機構Ｓの開閉要素は、図１（ｂ）、図５（ａ）、図５（ｃ）、図５（ｄ）、図５（ｅ）、図７．１（ａ）、図７．１（ｃ）、図７．２（ｅ）に示すように、アウターカバー２４の左右両内側において当該アウターカバー２４に対し前後方向にスライド可能となって配され且つ前方へのスライド端においてはアウターカバー２４と同期して後退移動可能とするラックアーム３８と、当該アウターカバー２４の内側に回動自在に軸支されたシャッタ２１の開閉軸部３５に同軸一体となった既述のピニオン３４を備え、ラックアーム３８の歯部に当該ピニオン３４が噛合して成る。
【００２７】
具体的には、アウターカバー２４の左右側壁下側の各内面には、長手方向上側に歯部が形成されて成る横長のラックアーム３８が配されている。このとき、図３（ｃ）、図３（ｄ）、図４（ｂ）に示すように、アウターカバー２４の左右側壁下側には、横向長円開口状のガイド孔３９が形成され、このガイド孔３９に、ラックアーム３８の片面に突設したガイド突起４０が係合されている。
【００２８】
また、ラックアーム３８は、図１（ｂ）、図３（ｃ）、図５（ａ）、図５（ｂ）、図５（ｃ）、図５（ｄ）、図５（ｅ）、図６（ａ）、図６（ｂ）、図６（ｃ）、図７．１（ａ）、図７．１（ｂ）、図７．１（ｃ）、図７．２（ｅ）に示すように、ツマミ１２の左右両側下端に長手方向に沿って凹設されているガイド部４１に嵌合していることでツマミ１２に対し前後方向に移動できるようになっている。そして、ラックアーム３８の歯部は、前記シャッタ２１の開閉軸部３５と同軸一体のピニオン３４と噛合しており、アウターカバー２４の前後移動に伴って前記ガイド突起４０がラックアーム３８のガイド孔３９に沿ってその前方縁部と後方縁部間を移行すると共に、ピニオン３４およびラックアーム３８を介してシャッタ２１が自動開閉されるようになっている。
【００２９】
さらに、ラックアーム３８の下端略中央には、略横向Ｌ字状のフックアーム４２が後方に向けて突設されており、該フックアーム４２の突出先端部分内側に突起状の係止部４３を設けている。これに対応して、ラックアーム３８が嵌め込まれているツマミ１２のガイド部４１の前方下側にはストッパ部４４が設けられている。
【００３０】
こうして、プラグＰ（ツマミ１２）を光コネクタアダプタＱに押し込むことで前記アウターカバー２４の開口前端が光コネクタアダプタＱの押入開口部に当って当該アウターカバー２４が後退移動した際に、ラックアーム３８のガイド突起４０がアウターカバー２４のガイド孔３９に沿ってその後方縁部から前方縁部へを移行すると共に、当該ラックアーム３８下端に設けられたフックアーム４２の係止部４３（ラックアーム３８）がガイド部４１（ツマミ１２）のストッパ部４４に当たり後退が阻止され、これによって前記ラックアーム３８の噛部に噛合する前記ピニオン３４が時計方向へ回転することで前記シャッタ２１を開放させる（図５（ａ）、図５（ｂ）、図５（ｃ）、図５（ｄ）参照）。
【００３１】
そして、光プラグＰをさらに前方へ押し込みガイド突起４０がガイド孔３９の前方縁部に当った後には、フックアーム４２の係止部４３がガイド部４１のストッパ部４４を前方から後方へ乗り上げてラックアーム３８はガイド部４１に沿って後方へ移動する。すなわち、ラックアーム３８はアウターカバー２４と同期して前方から後方へ動く（図６（ａ）、図６（ｂ）、図６（ｃ）参照）。これによりアウターカバー２４がスプリング２８を圧縮させながら後部のストッパガイド２２位置まで後退移動する。このとき、アウターカバー２４およびスプリングガイド２３のストッパガイド２２後方側への摺動離脱がストッパガイド２２の係止部３２によってストップさせられる（図３（ｄ）、図４（ｂ）、図５（ｅ）、図７．１（ａ）参照）。
【００３２】
次に、以上のように構成された形態についての使用、動作の一例について説明する。
図４に示すように、光プラグＰが光コネクタアダプタＱに挿入されると、アウターカバー２４が光コネクタアダプタＱの挿入開口部の入口等に当たり、アウターカバー２４が後退し始める。
【００３３】
このとき、図５（ａ）、図５（ｂ）、図５（ｃ）、図５（ｄ）に示すように、前記アウターカバー２４のガイド孔３９の後方縁部にあったラックアーム３８のガイド突起４０がアウターカバー２４のガイド孔３９に沿って前方へ移行するが、このときフックアーム４２の係止部４３（ラックアーム３８）はガイド部４１（ツマミ１２）のストッパ部４４に当たり後退できないため、ラックアーム３８自体も後退移動が阻止され、これによって前記アウターカバー２４の内側に軸支されたピニオン３４がラックアーム３８の噛部に噛合しつつ時計方向に回動しシャッタ２１を開放させる。
【００３４】
そして、図５（ｄ）に示すように、ガイド突起４０がガイド孔３９の前方縁部に当った際にはシャッタ２１が全開となり、さらに、図５（ｅ）に示すように、前記光プラグＰを押し込むことでラックアーム４２の下方に設けられたフックアーム４２の係止部４３がガイド部４１のストッパ部４４を前方から後方へ乗り上げてラックアーム３８はツマミ１２に設けられたガイド部４１に沿って移動する。すなわち、ラックアーム３８はアウターカバー２４と同期して後方へ動く。
【００３５】
これによりアウターカバー２４がスプリングガイド２３と共にスプリング２８を圧縮させながら後部のストッパガイド２２位置まで後退移動する。すなわち、光プラグＰがアウターカバー２４から前方に突出移動する。この移動端にて光プラグＰのフェルール７が光コネクタアダプタＱのスリーブホルダＲに挿入される（図４（ｃ）参照）。
【００３６】
光コネクタアダプタＱから光プラグＰを抜くと、図７．１（ａ）、図７．１（ｂ）、図７．１（ｃ）に示すように、アウターカバー２４がスプリング２８の弾性復元力によってツマミ１２下側のガイド部４１およびツマミ１２上面側のガイド長溝３１に沿ってツマミ１２の前側位置に戻り、フックアーム４２の係止部４３がガイド部４１のストッパ部４４を後方から前方へ乗り上げて係止される。
【００３７】
すなわち、ツマミ１２の先端側とガイド部４１のストッパ部４４との間の凹所にフックアーム４２の係止部４３が引っ掛かり、このときアウターカバー２４はスプリング２８の弾性復元力によってさらに前方へ移動し、ラックアーム３８のガイド突起４０がアウターカバー２４のガイド孔３９に沿って後方へ移行する。
【００３８】
このツマミ１２のガイド孔３９長さ分の移動中にラックアーム３８と噛合するピニオン３４が前記とは逆回転してシャッタ２１が閉蓋方向に揺動して行き、ガイド突起４０がガイド孔３９の後方縁部に当った際にはシャッタ２１が完全に閉まった状態となる（図７．２（ｅ）、図７．２（ｆ）参照）。
【００３９】
こうしてフェルール７先端に損傷を与えることなくシャッタ２１の自動開閉動作が確実に行えると同時に、開閉動作するシャッタ２１への負荷を軽減させることができる。
【符号の説明】
【００４０】
Ｐ      光プラグ
Ｑ      光コネクタアダプタ
Ｓ      シャッタ自動開閉機構
１      プラグフレーム
２      ストップリング
３      ケブラ
４      カシメリング
５      光ファイバ
６      圧縮バネ
７      フェルール
８      コード外被
９      リング
１０    光ファイバコード
１１    ブーツ
１２    ツマミ
２１    シャッタ
２２    ストッパガイド
２３    スプリングガイド
２４    アウターカバー
２４ａ  延長部分
２５    係合突起
２６    隙間
２７    突起
２８    スプリング
２９    突起
３０    ガイド突起
３１    ガイド長溝
３２    係止部
３３    凹部
３４    ピニオン
３５    開閉軸部
３６    凹部
３７    凸部
３８    ラックアーム
３９    ガイド孔
４０    ガイド突起
４１    ガイド部
４２    フックアーム
４３    係止部
４４    ストッパ部
４５    底カバー
【図１】
0005443201.tif 000002
【図２】
0005443201.tif 000003
【図３】
0005443201.tif 000004
【図４】
0005443201.tif 000005
【図５】
0005443201.tif 000006
【図６】
0005443201.tif 000007
【図７．１】
0005443201.tif 000008
【図７．２】
0005443201.tif 000009